(57)【要約】【課題】遊技装置を樹脂系パネル体を透して視認可能とするとともに、その樹脂系パネル体の前面に遊技釘を容易に固着する。【解決手段】遊技盤１０の所定位置に遊技に関連する遊技装置３０が配設された遊技機であって、遊技装置３０は、その前面側を遊技盤１０の後面に臨んで配設される。遊技盤１０は透明樹脂材よりなる樹脂系パネル体１１によって形成される。樹脂系パネル体１１の前面の遊技装置３０に臨む領域内には遊技釘６０がその先端側の所定長さ部分において固着されている。【選択図】        図１
2005000423.tif 000002
【特許請求の範囲】
【請求項１】
遊技盤の所定位置に遊技に関連する遊技装置が配設された遊技機であって、
前記遊技装置は、その前面側を前記遊技盤の後面に臨んで配設され、
前記遊技盤は透明樹脂材よりなる樹脂系パネル体によって形成され、
前記樹脂系パネル体の前面には遊技釘がその先端側の所定長さ部分において固着されていることを特徴とする遊技機。
【発明の詳細な説明】
【０００１】
【発明の属する技術分野】
この発明は、例えば、球（主としてパチンコ球）を用いて遊技を行うパチンコ機等の弾球遊技機とも呼ばれている遊技機に関する。
【０００２】
【従来の技術】
従来、遊技機（弾球遊技機）には、その遊技盤の所定位置に遊技に関連する遊技装置が配設されたものがある。
また、このような遊技装置には、例えば、図柄（例えば、文字、数字、絵柄等の抽選図柄）を表示する表示面を有する表示装置や、装飾ランプ、表示ランプ等を有するランプ装置、可動のキャラクタを有するキャラクタ装置等がある。
また、遊技装置の大型化にともない、遊技盤前面の球の流下領域が狭まり、遊技性が悪化されるため、遊技盤を透明樹脂材よりなる樹脂パネルによって形成し、その後面に遊技装置としての表示装置を配設することが知られている。
また、このように構成した遊技機において、遊技盤（樹脂パネル体）前面の遊技装置に臨む領域（表示領域）内において、球を弾いたりあるいは誘導する遊技釘に対応する下孔を形成する。一方、遊技釘の先端側の所定長さ部分に多重螺旋部を形成し、遊技釘を、その多重螺旋部において遊技盤前面の下孔にねじ込むことによって遊技盤前面に遊技釘を固着することが知られている（例えば、特許文献１参照）。
【０００３】
【特許文献１】
特開２０００−８４１６４
【０００４】
【発明が解決しようとする課題】
ところで、前記した従来のものにおいては、遊技盤（樹脂パネル体）前面に下孔を形成し、その下孔に遊技釘の多重螺旋部をねじ込む必要があり、遊技盤前面に遊技釘を固着するのに多くの手間が必要となる。
【０００５】
この発明の目的は、前記問題点に鑑み、遊技装置を樹脂系パネル体を透して視認可能とするとともに、その樹脂系パネル体の前面に遊技釘を容易に固着することができる遊技機を提供することである。
【０００６】
【課題を解決するための手段】
前記目的を達成するために、手段１の発明に係る遊技機は、請求項１に記載のとおりの構成、すなわち、
「遊技盤の所定位置に遊技に関連する遊技装置が配設された遊技機であって、
前記遊技装置は、その前面側を前記遊技盤の後面に臨んで配設され、
前記遊技盤の少なくとも前記遊技装置に臨む領域が透明樹脂材よりなる樹脂系パネル体によって形成され、
前記樹脂系パネル体の前面の前記遊技装置に臨む領域内には遊技釘がその先端側の所定長さ部分において固着され、
前記遊技釘の先端部側の所定長さ部分には、固着用加工部が形成される一方、前記樹脂系パネル体の前面には前記遊技釘の固着用加工部の外径寸法と略同じ大きさの穴径寸法を有する取付穴が形成され、
前記取付穴に前記遊技釘の固着用加工部が嵌挿された状態で前記遊技釘を超音波振動させて、前記取付穴周囲の樹脂部分を溶融させかつ前記遊技釘の固着用加工部に接着させることで前記樹脂系パネル体の前面に前記遊技釘が固着されていることを特徴とする遊技機。」を要旨とする。
【０００７】
したがって、遊技装置に臨む領域が透明樹脂材よりなる樹脂系パネル体によって形成されることで、遊技装置が樹脂系パネル体を透して視認可能となる。
また、遊技釘を、その先端部側の固着用加工部において樹脂系パネル体の取付穴に嵌挿（手作業によって嵌挿できる程度の小さい力で圧入）してから超音波振動させるという簡単な操作によって、取付穴周囲の樹脂部分を溶融させかつ遊技釘の固着用加工部に接着させて固着することができる。
【０００８】
また、手段２の発明に係る遊技機は、「遊技盤の所定位置に遊技に関連する遊技装置が配設された遊技機であって、
前記遊技装置は、その前面側を前記遊技盤の後面に臨んで配設され、
前記遊技盤の少なくとも前記遊技装置に臨む領域が透明樹脂材よりなる樹脂系パネル体によって形成され、
前記樹脂系パネル体の前面の前記遊技装置に臨む領域内には遊技釘がその先端側の所定長さ部分において固着され、
前記遊技釘の先端部側の所定長さ部分には、雄ネジ部と、その雄ネジ部の先端に位置しかつ軸方向に連続するドリル部とがそれぞれ形成され、
前記遊技釘は、そのドリル部によって前記樹脂系パネル体の前面からその板厚内において、同樹脂系パネル体を切削しながらねじ込まれ、雄ネジ部において螺合した状態で固着されていることを特徴とする遊技機。」を要旨とする。
【０００９】
したがって、遊技装置に臨む領域が透明樹脂材よりなる樹脂系パネル体によって形成されることで、遊技装置が樹脂系パネル体を透して視認可能となる。
また、遊技釘を、その先端部側のドリル部によって樹脂系パネル体の前面からその板厚内において、同樹脂系パネル体を切削しながらねじ込み、雄ネジ部において螺合した状態で固着することができる。こようにして、樹脂系パネル体の前面に遊技釘を容易にかつ確実に固着することができ、樹脂系パネル体の前面に下孔を形成する必要性を解消することができる。
【００１０】
手段３の発明に係る遊技機は、手段２に記載の遊技機であって、遊技釘のドリル部によって樹脂系パネル体を切削しながらねじ込み、雄ネジ部において螺合した状態で、前記遊技釘を超音波振動させてドリル部と雄ネジ部に接触する樹脂部分を溶融接着させることで前記樹脂系パネル体の前面に前記遊技釘が固着されている。
したがって、樹脂系パネル体の前面に遊技釘をより一層強固にかつ確実に固着することができる。
【００１１】
手段４の発明に係る遊技機は、手段１〜３のいずれか一項に記載の遊技機であって、遊技装置は、図柄を表示する表示装置である。
したがって、表示装置に表示された図柄が樹脂系パネル体を透して視認可能となる。
【００１２】
【発明の実施の形態】
（実施の形態１）
この発明の実施の形態１を図面にしたがって説明する。
遊技機としてのパチンコ機の遊技盤を正面（前面）から表した図１において、遊技盤１０の所定位置には、遊技装置としての表示装置３０が配設されている。この表示装置３０の表示面（例えば、液晶パネル）３１には、遊技に関連する図柄（例えば、文字、数字、絵柄等の抽選図柄）が変動表示されるようになっている。また、表示装置３０は、その表示面３１を遊技盤１０の後面に臨んで配設されている。
遊技盤１０の少なくとも表示装置３０の表示面３１に臨む表示領域は透明樹脂材よりなる樹脂系パネル体１５によって形成されている。
この実施の形態１において、遊技盤１０は、表示装置３０の表示面３１に臨む表示領域以外が木質合板等よりなる木質系パネル体１１によって形成されている。そして、木質系パネル体１１の略中央部に位置する表示領域の部分に開口部１３が形成され、その開口部１３には、透明な合成樹脂材（例えば、ポリカーボネイト）よりなる樹脂系パネル体１５が略同一平面上に固定されている。
【００１３】
遊技盤１０の木質系パネル体１１前面の周縁部には、外レール２１と内レール２２とを備えた案内レール２０が装着されている。案内レール２０の内側には、遊技領域２５が区画形成されるとともに、外レール２１と内レール２２との間には、図示しない球発射装置から発射された球（パチンコ球）を遊技領域２５の上部に案内する球発射通路２４が形成されている。
木質系パネル体１１前面には、風車器４０、ゲート口４２、サイド装飾部材４５、一般入賞口４７、可変始動口５１、開閉扉５６によって開閉される大入賞口５７を有するアタッカ装置５５等がそれぞれ装着され、下端部にはアウト口５８が形成されている。
また、木質系パネル体１１前面の略全域にわたって球を弾いたりあるいは誘導する多数の遊技釘５９が配設されている。
【００１４】
樹脂系パネル体１５前面の表示領域内には球を弾いたりあるいは誘導する金属製の遊技釘６０がその先端側の所定長さ部分において固着されている。
この実施の形態１において、図２に示すように、遊技釘６０は、平面形状が六角形、四角形等の角形の頭部６１と、軸部６２とを一体に有する。遊技釘６０の軸部６２の先端部側の所定長さ部分（軸部６２の長さ寸法の略４分の１から３分の１前後の深さ寸法の部分）には、固着用加工部としての凹凸のローレット加工部６３が形成されている。
また、遊技釘６０の軸部６２の外周にはローレット加工部６３の上端部に位置して張り出すストッパ片６４が形成されている。
一方、図２に示すように、樹脂系パネル体１５の前面には、遊技釘６０のローレット加工部６３の外径寸法と略同じ大きさの穴径寸法を有し、かつ軸部６２の長さ寸法の略４分の１から３分の１前後の深さ寸法を有する取付穴１６が同樹脂系パネル体１５の成形と同時に形成されている。
【００１５】
図２に示すように、遊技釘６０は、その先端部側のローレット加工部６３において樹脂系パネル体１５の取付穴１６に嵌挿（手作業によって嵌挿できる程度の小さい力で圧入）される。この際、遊技釘６０のストッパ片６４が樹脂系パネル体１５の前面の取付穴１６の周縁部に当接して、これ以上の遊技釘６０の嵌挿を制限する。言い換えると、遊技釘６０のストッパ片６４によって、同遊技釘６０のローレット加工部６３が樹脂系パネル体１５の取付穴１６に過不足なく正確に嵌挿される。
その後、図３に示すように、超音波振動発生装置のホーン１００に遊技釘６０の頭部６１を嵌込み、この状態で遊技釘６０を超音波振動させる。すると、樹脂系パネル体１５の取付穴１６周囲の樹脂部分が溶融されその溶融樹脂が遊技釘６０のローレット加工部６３に接着し、これによって、樹脂系パネル体１５前面の表示領域内に遊技釘６０が固着されるようになっている。
【００１６】
この実施の形態１に係る遊技機としてのパチンコ機は上述したように構成される。
したがって、表示装置３０の表示面３１に臨む表示領域が透明樹脂材よりなる樹脂系パネル体１５の部分によって形成されることで、表示装置３０の表示面３１に表示された図柄が樹脂系パネル体１５を透して視認可能となる。
また、遊技の際、図示しない球発射装置から球発射通路２４を経て遊技領域２５の上部に発射された球（パチンコ球）のうち、一部の球は樹脂系パネル体１５の部分によって形成され表示領域の前面の遊技釘６０によって弾かれたりあるいは所定方向に誘導される。
このため、表示装置３０の表示面３１の大型化にともない、遊技盤１０前面の球の流下領域が狭まり、遊技性が悪化されることを解消することができる。
【００１７】
特に、この実施の形態１において、樹脂系パネル体１５の前面に遊技釘６０をその先端側において固着する際、遊技釘６０を、その先端部側のローレット加工部６３において樹脂系パネル体１５の取付穴１６に嵌挿（手作業によって嵌挿できる程度の小さい力で圧入）してから超音波振動させるという簡単な操作によって、取付穴１６周囲の樹脂部分を溶融させかつ遊技釘６０のローレット加工部６３に接着させて固着することができる。
このようにして、樹脂系パネル体１５の前面に遊技釘６０を容易にかつ確実に固着することができる。
【００１８】
（実施の形態２）
次に、この発明の実施の形態２を図５〜図８にしたがって説明する。
この実施の形態２においては、遊技盤１０を構成する樹脂系パネル体１５の前面の表示領域内に対する遊技釘７０の固着構造を変更したものである。すなわち、球を弾いたりあるいは誘導する遊技釘７０は、平面形状が六角形、四角形等の角形の頭部７１と、軸部７２とを一体に有する。遊技釘７０の軸部２の先端部側の所定長さ部分（軸部６２の長さ寸法の略４分の１から３分の１前後の深さ寸法の部分）には、リード角が比較的小さい（例えば、メートルネジ）雄ネジ部７３と、その雄ネジ部７３の先端に位置しかつ軸方向に連続するリード角が比較的大きくかつ切削機能を有するドリル部７４とがそれぞれ形成されている。また、遊技釘７０の軸部７２の外周には雄ネジ部７３の上端部に位置して張り出すストッパ片７５が形成されている。
また、雄ネジ部７３には、ドリル部７４によって樹脂系パネル体１５の切り子を逃がすための逃がし溝が適宜に形成されている。
【００１９】
すなわち、この実施の形態２において、図６に示すように、ＮＣ制御によって回転及び移動制御される工具１１０に遊技釘７０の頭部７２がトルク伝達可能に嵌込まれて保持される。そして、図６と図７に示すように、そのドリル部７４の先端が樹脂系パネル体１５の前面の所定位置に当てられた状態で工具１１０によって遊技釘７０が回転させる。
これによって、遊技釘７０は、そのドリル部７４が樹脂系パネル体１５の前面からその板厚内において、同樹脂系パネル体１５を切削しながらねじ込まれる。そして、遊技釘７０のストッパ片７５が樹脂系パネル体１５の前面に当接する位置までねじ込まれることによって、遊技釘７０がその雄ネジ部７３において螺合した状態で固着される。
その他の構成は実施の形態１と略同様に構成されるため、その説明は省略する。
【００２０】
したがって、この実施の形態２においても、表示装置３０の表示面３１に臨む表示領域が透明樹脂材よりなる樹脂系パネル体１５の部分によって形成されることで、表示装置３０の表示面３１に表示された図柄が樹脂系パネル体１５を透して視認可能となる。
また、遊技の際、図示しない球発射装置から球発射通路２４を経て遊技領域２５の上部に発射された球（パチンコ球）のうち、一部の球は樹脂系パネル体１５の部分によって形成され表示領域の前面の遊技釘７０によって弾かれたりあるいは所定方向に誘導される。
このため、表示装置３０の表示面３１の大型化にともない、遊技盤１０前面の球の流下領域が狭まり、遊技性が悪化されることを解消することができる。この結果、球の流下領域の狭まりにより遊技性が悪化される不具合を防止することができる。
【００２１】
特に、この実施の形態２において、遊技釘７０を、その先端部側のドリル部７４によって樹脂系パネル体１５の前面からその板厚内において、同樹脂系パネル体１５を切削しながらねじ込み、雄ネジ部７３において螺合した状態で固着することができる。こようにして、樹脂系パネル体１５の前面に遊技釘７０を容易にかつ確実に固着することができ、樹脂系パネル体１５の前面に取付穴や下孔を形成する必要性を解消することができる。
【００２２】
また、前記した実施の形態２では、遊技釘７０を、そのドリル部７４によって樹脂系パネル体１５の前面からその板厚内において、同樹脂系パネル体１５を切削しながらねじ込み、雄ネジ部７３において螺合した状態で、遊技釘７０を超音波振動させてドリル部７４と雄ネジ部７３に接触する樹脂部分を溶融接着させることで、樹脂系パネル体１５の前面に遊技釘７０を固着することもできる。この場合には、樹脂系パネル体１５の前面に遊技釘７０をより一層強固にかつ確実に固着することができる。
【００２３】
なお、この発明は実施の形態１及び２に限定するものではない。
例えば、前記実施の形態１において、遊技釘６０の軸部６２の先端部側の所定長さ部分に、固着用加工部としての凹凸のローレット加工部６３が形成される場合を例示したが、遊技釘６０の軸部６２の外周面の一部に固着用加工部をなす凹部（又は凸部）を形成しもこの発明を実施することができる。
また、遊技釘６０の軸部６２の外周面に沿って固着用加工部をなす一条あるいは複数条の環状凹部（又は環状凸部）を形成してもこの発明を実施することができる。
また、実施の形態１及び２においては、表示装置３０の表示面３１に臨む表示領域以外の部分を形成する木質合板等よりなる木質系パネル体１１と、その木質系パネル体１１の略中央部に位置する表示領域の部分の開口部１３に固定された樹脂系パネル体１５とによって遊技盤１０が構成される場合を例示したが、遊技盤１０の上半部を樹脂系パネル体１５によって形成し、下半部を木質系パネル体１１によって形成してもこの発明を実施することができる。
また、遊技盤１０全体を樹脂系パネル体１５によって形成してもこの発明を実施することができる。
また、実施の形態１及び２においては、遊技装置が表示装置３０である場合を例示したが、例えば、遊技装置が装飾ランプ、表示ランプ等を有するランプ装置であってもよく、可動のキャラクタを有するキャラクタ装置等であってもこの発明を実施することができる。
【００２４】
【発明の効果】
以上述べたように、この発明によれば、遊技装置を樹脂系パネル体を透して視認可能にすることができるとともに、その樹脂系パネル体の前面に遊技釘を容易に固着することができ、遊技釘の固着に要するコストを削減することができる。
【図面の簡単な説明】
【図１】この発明の実施の形態１に係る遊技機としてのパチンコ機の遊技盤を示す正面図である。
【図２】同じく遊技盤の樹脂系パネル体に遊技釘を固着する前の樹脂系パネル体と遊技釘との関係を示す説明図である。
【図３】同じく樹脂系パネル体の取付穴に遊技釘のローレット加工部を圧入して超音波振動させる状態を示す説明図である。
【図４】同じく樹脂系パネル体の取付穴に遊技釘を固着した状態を示す説明図である。
【図５】この発明の実施の形態２の遊技盤の樹脂系パネル体に遊技釘を固着する前の樹脂系パネル体と遊技釘との関係を示す説明図である。
【図６】同じく樹脂系パネル体の前面に遊技釘先端のドリル部を当ててねじ込む状態を示す説明図である。
【図７】同じく樹脂系パネル体の前面に遊技釘先端のドリル部がねじ込まれた状態を示す説明図である。
【図８】同じく樹脂系パネル体の前面に遊技釘の雄ネジ部がねじ込まれて固着された状態を示す説明図である。
【符号の説明】
１０  遊技盤
１１  木質系パネル体
１５  樹脂系パネル体
３０  表示装置（遊技装置）
３１  表示面
６０  遊技釘
６１  頭部
６２  軸部
６３  ローレット加工部（固着用加工部）
７０  遊技釘
７１  頭部
７２  軸部
７３  雄ネジ部
７４  ドリル部
【図１】
2005000423.tif 000003
【図２】
2005000423.tif 000004
【図３】
2005000423.tif 000005
【図４】
2005000423.tif 000006
【図５】
2005000423.tif 000007
【図６】
2005000423.tif 000008
【図７】
2005000423.tif 000009
【図８】
2005000423.tif 000010